(57)【要約】【課題】      通気性のよいライフジャケットを提供することである。【解決手段】  ライフジャケットは後身頃１と右前身頃２と左前身頃３とで形成されると共に、夫々の表地ａと裏地ｂが袋状に縫製連結されてその中に夫々フレ−ム４、５、６と夫々ウレタン等の独立気泡体等の合成樹脂発泡体が使用された浮力材１０が収納されて構成されている。  後身頃１の中のフレ−ム４は周囲部４ａと中心部４ｂと周囲部４ａの４隅内側と中心部４ｂを結ぶ４本の支持梁４ｃ、４ｄ、４ｅ、４ｆで形成されている。  中心部４ｂは周囲部４ａの表面に対して外側に突出して支持梁４ｃ、４ｄ、４ｅ、４ｆは湾曲形成されて裏地ｂと浮力材１０の間に空間Ａが形成されている。  フレ−ム４の外側には浮力材１０が添設されるように当てられて取り付けられている。【選択図】        図４
2009149237.tif 000002
【特許請求の範囲】
【請求項１】
表地と裏地の間に浮力材を収納したライフジャケットにおいて、裏地と浮力材の間に空間を形成するフレ−ムを前記表地と前記裏地の間に設けたことを特徴とするライフジャケット。
【請求項２】
前記フレ−ムを湾曲形成し、フレ−ムの湾曲形状に添って浮力材を設けたことを特徴とする請求項１記載のライフジャケット。
【発明の詳細な説明】
【技術分野】
【０００１】
本発明は、通気性のよいライフジャケットに関する。
【背景技術】
【０００２】
従来ライフジャケットは特許文献１のように表地と裏地の間に浮力材が収納されているので、身体の形状に合わず、通気性も悪い欠点がある。
通気性を改善するために浮力材に孔を開けたり、浮力材を分割することが行われているが、孔を開けると成形工程でコスト高になり、分割しても表地と裏地の中で浮力材がくっついてしまうので通気性の効果が得られない。
【特許文献１】特開平１１−２９１９８２号公報
【発明の開示】
【発明が解決しようとする課題】
【０００３】
解決しようとする問題点は、ライフジャケットの浮力材周辺の通気性が悪いことである。
【０００４】
本発明の目的は前記欠点に鑑み、通気性のよいライフジャケットを提供することである。
【課題を解決するための手段】
【０００５】
本発明の請求項１は、表地と裏地の間に浮力材を収納したライフジャケットにおいて、裏地と浮力材の間に空間を形成するフレ−ムを前記表地と前記裏地の間に設けたことを要旨とするものである。
本発明の請求項２は、前記フレ−ムを湾曲形成し、フレ−ムの湾曲形状に添って浮力材を設けたことを要旨とするものである。
【発明の効果】
【０００６】
本発明の請求項により、ライフジャケットが着衣された時、身体に当たった裏地と浮力材の間にフレ−ムで空間が形成されているので、通気性が確保されて涼しい空気が通って快適になる。
【発明を実施するための最良の形態】
【０００７】
ライフジャケットは後身頃１と右前身頃２と左前身頃３とで形成されると共に、夫々の表地ａと裏地ｂを有し、これらが袋状に縫製連結されて収納部Ｓを形成し、その中に夫々フレ−ム４、５、６と夫々浮力材１０が収納されて構成されている。
浮力材１０はウレタン等の独立気泡体等の合成樹脂発泡体が使用されている。
後身頃１の中のフレ−ム４は周囲部４ａと中心部４ｂと周囲部４ａの４隅内側と中心部４ｂを結ぶ４本の支持梁４ｃ、４ｄ、４ｅ、４ｆで形成されている。
中心部４ｂは周囲部４ａの表面に対して外側に突出して支持梁４ｃ、４ｄ、４ｅ、４ｆは湾曲形成されている。
中心部４ｂと４本の支持梁４ｃ、４ｄ、４ｅ、４ｆの外側には浮力材１０が添設されるように当てられて取り付けられている。
浮力材１０の外側には表地ａが当てられ、フレ−ム４の周囲部４ａには裏地ｂが当てられている。
フレ−ム４の４本の支持梁４ｃ、４ｄ、４ｅ、４ｆによって裏地ｂと浮力材１０の間に空間Ａが形成されている。
【実施例１】
【０００８】
以下、図示の実施例によって本発明を説明すると、図１から図５は第１実施例で図１はライフジャケットの内側を示す展開図、図２はライフジャケットの正面図、図３は後身頃のフレ−ムの斜視図、図４は後身頃の縦方向の断面側面図、図５は後身頃の横方向の断面側面図である。
【０００９】
ライフジャケットは後身頃１と右前身頃２と左前身頃３とで形成されると共に、夫々の表地ａと裏地ｂを有し、これらが袋状に縫製連結されて収納部Ｓを形成し、その中に夫々フレ−ム４、５、６と夫々浮力材１０が収納されて構成されている。
浮力材１０はウレタン等の独立気泡体等の合成樹脂発泡体が使用されている。
右前身頃２と左前身頃３の縁部には係合チャックからなる開閉用止着部１１、１２が設けられて仕着した時身体の前で互いに開閉可能に止着出来るようになっている。
後身頃１の中のフレ−ム４は周囲部４ａと中心部４ｂと周囲部４ａの４隅内側と中心部４ｂを結ぶ４本の支持梁４ｃ、４ｄ、４ｅ、４ｆで形成されている。
中心部４ｂは周囲部４ａの表面に対して外側に突出して支持梁４ｃ、４ｄ、４ｅ、４ｆは湾曲形成されてフレ−ム４は全体が円弧状に湾曲して形成されている。
フレ−ム４の中心部４ｂと４本の支持梁４ｃ、４ｄ、４ｅ、４ｆの外側には浮力材１０がフレ−ム４の湾曲形状に沿って外側（表地ａ側）に突出するように湾曲して添設されて取り付けられている。
浮力材１０はフレ−ム４で外側に押圧されているため浮力材１０の外側には表地ａが当てられ、フレ−ム４の支持梁４ｃ、４ｄ、４ｅ、４ｆの端部の周囲部４ａは裏地ｂで支持されている。
フレ−ム４で浮力材１０が湾曲形状に保持されて裏地ｂと浮力材１０の間に空間Ａが形成されている。
【００１０】
右前身頃２の中のフレ−ム５と左前身頃３の中のフレ−ム６についてもフレ−ム４と同様に形成されている。
フレ−ム５は周囲部５ａと中心部５ｂと周囲部５ａの４隅内側と中心部５ｂを結ぶ４本の支持梁５ｃ、５ｄ、５ｅ、５ｆで形成されている。
中心部５ｂは周囲部５ａの表面に対して外側に突出して支持梁５ｃ、５ｄ、５ｅ、５ｆは湾曲形成されている。
中心部５ｂと４本の支持梁５ｃ、５ｄ、５ｅ、５ｆの外側には浮力材１０が添設されるように当てられて取り付けられている。
フレ−ム６は周囲部６ａと中心部６ｂと周囲部６ａの４隅内側と中心部６ｂを結ぶ４本の支持梁６ｃ、６ｄ、６ｅ、６ｆで形成されている。
中心部６ｂは周囲部６ａの表面に対して外側に突出して支持梁６ｃ、６ｄ、６ｅ、６ｆは湾曲形成されている。
中心部６ｂと４本の支持梁６ｃ、６ｄ、６ｅ、６ｆの外側には浮力材１０が添設されるように当てられて取り付けられている。
【００１１】
前記のようにライフジャケットが構成されると、ライフジャケットが着衣された時、身体に当たった裏地ｂと浮力材１０の間にフレ−ム４、５、６で空間Ａが形成されているので、通気性が確保されて涼しい空気が通って快適になる。
【実施例２】
【００１２】
図６、図７は第２実施例で図６はライフジャケットの内側を示す展開図、図７はライフジャケットの後身頃の縦方向の断面側面図である。
【００１３】
ライフジャケットは後身頃１と右前身頃２と左前身頃３とで形成されると共に、夫々の表地ａと裏地ｂを有し、これらが袋状に縫製連結されて収納部Ｓを形成し、その中に夫々フレ−ム７、８、９と夫々浮力材１０が収納されて構成されている。
浮力材１０はウレタン等の独立気泡体等の合成樹脂発泡体が使用されている。
右前身頃２と左前身頃３の縁部には係合チャックからなる開閉用止着部１１、１２が設けられて仕着した時身体の前で互いに開閉可能に止着出来るようになっている。
後身頃１の中のフレ−ム７は網状や格子目状等の孔空き形成された合成樹脂板を湾曲形成して使用され、適宜箇所に透孔７ａが穿設されている。
フレ−ム７の外側には表地ａが当てられ、フレ−ム７は周縁にスカ−ト部７ｂを有し、浮力材１０の内側にスカ−ト部７ｂに湾曲状になるように保持されて浮力材１０が添設されている。
フレ−ム７の内側には裏地ｂが当てられている。
裏地ｂと浮力材１０の間に空間Ａが形成されている。
【００１４】
右前身頃２の中のフレ−ム８と左前身頃３の中のフレ−ム９に付いても同様に市販の格子目状の孔空き形成された合成樹脂板を湾曲形成して使用され、適宜箇所に格子目状の透孔８ａ、９ａが穿設されている。
【産業上の利用可能性】
【００１５】
本発明はライフジャケット全般に利用できる。
【図面の簡単な説明】
【００１６】
【図１】第１実施例で、ライフジャケットの内側を示す展開図である。
【図２】同ライフジャケットの正面図である。
【図３】同後身頃のフレ−ムの斜視図である。
【図４】同後身頃の縦方向の断面側面図である。
【図５】同後身頃の横方向の断面側面図である。
【図６】第２実施例で、同ライフジャケットの内側を示す展開図である。
【図７】同後身頃の縦方向の断面側面図である。
【符号の説明】
【００１７】
４、５、６、７、８、９  フレ−ム
１０  浮力材
Ａ  空間
ａ  表地
ｂ  裏地
【図１】
2009149237.tif 000003
【図２】
2009149237.tif 000004
【図３】
2009149237.tif 000005
【図４】
2009149237.tif 000006
【図５】
2009149237.tif 000007
【図６】
2009149237.tif 000008
【図７】
2009149237.tif 000009